(57)【特許請求の範囲】
【請求項１】
掃除機であって、
本体に備えられ、塵埃を集塵するように構成されるダストボックスと、
前記ダストボックスを開閉するように前記本体に回転可能に結合されるカバーと、
前記カバーの開放により露出するように前記ダストボックスの内部に装着され、前記本体の内部流路を流動する空気から塵埃を濾過するように構成されるフィルタ組立体と、
前記本体の空気入口又は前記空気入口に連結される延長管に結合できるように構成される隙間掃除具とを備えてなり、
前記フィルタ組立体は、
前記カバーに向けて開放される開口部と、
前記開口部の内周面から突設される突起部とを備え、
前記隙間掃除具は、
前記隙間掃除具が前記開口部に挿入されて回転することにより前記突起部に係止される係止リブを備え、
前記係止リブが前記突起部に係止された状態で前記隙間掃除具を前記ダストボックスの外側に取り出す力により、前記フィルタ組立体が前記隙間掃除具と共に前記ダストボックスから取り出されることを特徴とする、掃除機。
【請求項２】
前記突起部は、複数備えられ、前記開口部の内周面に沿って互いに離隔して配置され、
前記係止リブは、前記隙間掃除具の挿入により２つの前記突起部間に挿入され、
前記隙間掃除具の回転により２つの前記突起部のいずれか一方に係止されることを特徴とする、請求項１に記載の掃除機。
【請求項３】
前記係止リブは、
前記隙間掃除具の挿入及び取出方向に延びる位置設定部と、
前記位置設定部と交差する方向に延び、２つの前記突起部のいずれか一方に係止される係止部とを備えることを特徴とする、請求項１に記載の掃除機。
【請求項４】
前記隙間掃除具は、前記開口部に挿入された状態で第１方向と前記第１方向の逆方向である第２方向とに回転可能に形成され、
前記第１方向は、前記係止部が２つの前記突起部のいずれか一方に係止される方向であり、前記第２方向は、２つの前記突起部のいずれか一方に対する前記係止部の係止が解除される方向であることを特徴とする、請求項３に記載の掃除機。
【請求項５】
前記位置設定部は、前記係止リブの係止位置を設定するように、前記隙間掃除具の前記第１方向の回転により２つの前記突起部のいずれか一方に密着し、
前記位置設定部は、前記係止リブの係止解除位置を設定するように、前記隙間掃除具の前記第２方向の回転により２つの前記突起部の他方に密着することを特徴とする、請求項４に記載の掃除機。
【請求項６】
前記位置設定部が２つの前記突起部のいずれか一方に密着した後に前記第１方向に更に加わる力により、前記フィルタ組立体が前記第１方向に回転し、
前記位置設定部が２つの前記突起部の他方に密着した後に前記第２方向に更に加わる力により、前記フィルタ組立体が前記第２方向に回転することを特徴とする、請求項５に記載の掃除機。
【請求項７】
前記フィルタ組立体は、前記第１方向に回転することにより、前記ダストボックスの内側から分離され、前記第２方向に回転することにより、前記ダストボックスの内側に結合されることを特徴とする、請求項５に記載の掃除機。
【請求項８】
前記隙間掃除具は、
前記係止リブの一端に形成されるストッパを更に備え、
前記ストッパは、前記隙間掃除具の外側から突出し、前記隙間掃除具の挿入長さを設定するように、前記係止リブより大きく突出することを特徴とする、請求項１に記載の掃除機。
【請求項９】
前記突起部は、複数備えられ、前記開口部の内周面に沿って２つずつ互いに対向して配置され、
前記係止リブは、
前記隙間掃除具の一側から突設される第１係止リブと、
前記第１係止リブとは逆方向を向くように、前記隙間掃除具の他側から突設される第２係止リブとを備え、
前記ストッパは、
前記第１係止リブの一端に形成される第１ストッパと、
前記第２係止リブの一端に形成される第２ストッパとを備え、
前記第１ストッパの最外縁部と前記第２ストッパの最外縁部間の直線距離は、互いに対向する２つの前記突起部間の直線距離より長いことを特徴とする、請求項８に記載の掃除機。
【発明の詳細な説明】
【技術分野】
【０００１】
本発明は、掃除対象領域の塵埃や異物を吸入したり拭いて掃除を行う掃除機に関する。
【背景技術】
【０００２】
掃除機とは、吸入モータから発生する吸引力を利用して掃除対象領域の塵埃や異物を空気と共に吸入し、吸入した空気から塵埃や異物を分離し、空気のみを排出して塵埃や異物は集塵する装置をいう。
【０００３】
掃除機は、手動掃除機と自動掃除機に分けられる。手動掃除機は、ユーザの操作により移動しながら掃除を行う。手動掃除機は、キャニスタ型、アップライト型、ハンディ型、スティック型などのタイプに分けられる。自動掃除機は、ユーザの操作によらず、ＳＬＡＭ（Simultaneous Localization and Mapping）技術に基づいて掃除を行う。
【０００４】
特許文献１（２０１６年３月２９日公開）には、ハンディ型掃除機が開示されている。前記ハンディ型掃除機は、本体と、塵埃を収集する収集箱、前記収集箱の内側に設けられるグリル部とを含む。前記グリル部は、その孔より大きい塵埃や異物を濾過する。よって、前記ハンディ型掃除機の作動時間が経過するにつれて、前記グリル部に塵埃や異物が溜まる。
【０００５】
前記グリル部に溜まった塵埃や異物は前記ハンディ型掃除機の掃除性能の低下を招く。前記ハンディ型掃除機の掃除性能を維持するためには、前記ハンディ型掃除機の収集箱を開放して前記収集箱の内側の前記グリル部を掃除しなければならない。
【０００６】
しかし、前記収集箱を開放して単に前記本体を振る動作だけでは前記グリル部に溜まった塵埃や異物をきれいに掃除することができない。前記グリル部をきれいに掃除するためには、前記グリル部を前記本体から分離しなければならない。その過程でユーザが手で前記グリル部を把持すると、ユーザの手に塵埃や異物がつくなど、衛生的に好ましくない結果をもたらす。
【先行技術文献】
【特許文献】
【０００７】
【特許文献１】韓国公開特許第１０−２０１６−００３４０４１号公報
【発明の概要】
【発明が解決しようとする課題】
【０００８】
本発明の目的は、塵埃や異物を手で触ることなく、本体の内部に溜まった塵埃や異物を衛生的に除去できる構造の掃除機を提供することにある。
【０００９】
本発明の他の目的は、掃除機の付属品のいずれかの掃除具を用いて掃除機の内部の塵埃や異物が溜まった部品を掃除機の内部から分解できる構造の掃除機を提供することにある。
【００１０】
本発明のさらに他の目的は、再び掃除具を用いて掃除済みの部品を掃除機の内部に装着できる構造の掃除機を提供することにある。
【課題を解決するための手段】
【００１１】
上記目的を達成するために、本発明の一実施形態による掃除機は、本体に備えられて塵埃を集塵するように構成されるダストボックスと、前記ダストボックスの内部に装着されるフィルタ組立体と、前記本体の空気入口又は前記空気入口に連結される延長管に結合できるように構成される隙間掃除具（crevice tool）とを含み、前記隙間掃除具の係止リブが前記フィルタ組立体の突起部に係止された状態で前記隙間掃除具を前記ダストボックスの外側に取り出す力により、前記フィルタ組立体も前記隙間掃除具と共に前記ダストボックスから取り出される。
【００１２】
前記掃除機は、前記ダストボックスを開閉するように前記本体に回転可能に結合されるカバーをさらに含む。前記フィルタ組立体は、前記カバーの開放により露出するように前記ダストボックスの内部に装着され、前記本体の内部流路を流動する空気から塵埃を濾過するように構成される。
【００１３】
前記フィルタ組立体は、前記カバーに向けて開放される開口部と、前記開口部の内周面から突設される突起部とを含む。
【００１４】
前記隙間掃除具は、前記隙間掃除具が前記開口部に挿入されて回転することにより前記突起部に係止される係止リブを含む。
【００１５】
前記突起部は、複数備えられ、前記開口部の内周面に沿って互いに離隔して配置され、前記係止リブは、前記隙間掃除具の挿入により２つの前記突起部間に挿入され、前記隙間掃除具の回転により２つの前記突起部のいずれか一方に係止される。
【００１６】
前記係止リブは、前記隙間掃除具の挿入及び取出方向に延びる位置設定部と、前記位置設定部と交差する方向に延び、２つの前記突起部のいずれか一方に係止される係止部とを含む。
【００１７】
前記隙間掃除具は、前記開口部に挿入された状態で第１方向と前記第１方向の逆方向である第２方向とに回転可能に形成され、前記第１方向は、前記係止部が２つの前記突起部のいずれか一方に係止される方向であり、前記第２方向は、２つの前記突起部のいずれか一方に対する前記係止部の係止が解除される方向である。
【００１８】
前記位置設定部は、前記係止リブの係止位置を設定するように、前記隙間掃除具の前記第１方向の回転により２つの前記突起部のいずれか一方に密着し、前記位置設定部は、前記係止リブの係止解除位置を設定するように、前記隙間掃除具の前記第２方向の回転により２つの前記突起部の他方に密着する。
【００１９】
前記位置設定部が２つの前記突起部のいずれか一方に密着した後に前記第１方向にさらに加わる力により、前記フィルタ組立体が前記第１方向に回転し、前記位置設定部が２つの前記突起部の他方に密着した後に前記第２方向にさらに加わる力により、前記フィルタ組立体が前記第２方向に回転する。
【００２０】
前記フィルタ組立体は、前記第１方向に回転することにより、前記ダストボックスの内側から分離され、前記第２方向に回転することにより、前記ダストボックスの内側に結合される。
【００２１】
前記隙間掃除具は、前記係止リブの一端に形成されるストッパをさらに含み、前記ストッパは、前記隙間掃除具の外側から突出し、前記隙間掃除具の挿入長さを設定するように、前記係止リブより大きく突出する。
【００２２】
前記突起部は、複数備えられ、前記開口部の内周面に沿って２つずつ互いに対向して配置され、前記係止リブは、前記隙間掃除具の一側から突設される第１係止リブと、前記第１係止リブとは逆方向を向くように、前記隙間掃除具の他側から突設される第２係止リブとを含み、前記ストッパは、前記第１係止リブの一端に形成される第１ストッパと、前記第２係止リブの一端に形成される第２ストッパとを含み、前記第１ストッパの最外縁部と前記第２ストッパの最外縁部間の直線距離は、互いに対向する２つの前記突起部間の直線距離より長い。
【発明の効果】
【００２３】
上記構成の本発明によれば、フィルタ組立体を手で触ることなく、隙間掃除具を用いてフィルタ組立体をダストボックスの内側から分離することができる。
【００２４】
また、本発明によれば、フィルタ組立体を手で触ることなく、隙間掃除具を用いてフィルタ組立体をダストボックスの内側に組み付けることができる。
【００２５】
よって、本発明においては、フィルタ組立体に含まれるメッシュフィルタを衛生的に洗浄することができる。
【図面の簡単な説明】
【００２６】
【図１】本発明の一実施形態による掃除機の斜視図である。
【図２】本体の概念図である。
【図３ａ】フィルタ組立体の集塵部バウンダリを示す断面図である。
【図３ｂ】フィルタ組立体の集塵部バウンダリを示す平面図である。
【図４ａ】隙間掃除具の斜視図である。
【図４ｂ】図４ａに示す隙間掃除具の一側を拡大して示す概念図である。
【図４ｃ】図４ａに示す隙間掃除具の他側を拡大して示す概念図である。
【図５ａ】隙間掃除具をフィルタ組立体に結合する過程を示す概念図である。
【図５ｂ】隙間掃除具を用いてフィルタ組立体を本体から分離する過程を示す概念図である。
【図６ａ】隙間掃除具をフィルタ組立体に結合する過程における係止リブや突起部などの相対位置を説明するための概念図である。
【図６ｂ】隙間掃除具をフィルタ組立体に結合する過程における係止リブや突起部などの相対位置を説明するための概念図である。
【図６ｃ】隙間掃除具をフィルタ組立体に結合する過程における係止リブや突起部などの相対位置を説明するための概念図である。
【図６ｄ】隙間掃除具をフィルタ組立体に結合する過程における係止リブや突起部などの相対位置を説明するための概念図である。
【図６ｅ】隙間掃除具をフィルタ組立体に結合する過程における係止リブや突起部などの相対位置を説明するための概念図である。
【図７ａ】隙間掃除具をフィルタ組立体から分離する過程における係止リブや突起部などの相対位置を説明するための概念図である。
【図７ｂ】隙間掃除具をフィルタ組立体から分離する過程における係止リブや突起部などの相対位置を説明するための概念図である。
【図７ｃ】隙間掃除具をフィルタ組立体から分離する過程における係止リブや突起部などの相対位置を説明するための概念図である。
【図７ｄ】隙間掃除具をフィルタ組立体から分離する過程における係止リブや突起部などの相対位置を説明するための概念図である。
【図７ｅ】隙間掃除具をフィルタ組立体から分離する過程における係止リブや突起部などの相対位置を説明するための概念図である。
【発明を実施するための形態】
【００２７】
以下、図面を参照して、本発明による掃除機についてより詳細に説明する。本明細書において用いられる単数の表現には、特に断らない限り複数の表現が含まれる。
【００２８】
図１は本発明の一実施形態による掃除機１００の斜視図である。図２は本体１１０の概念図である。
【００２９】
掃除機１００は、本体１１０、吸入ノズル１３０及び延長管１４０を含む。
【００３０】
本体１１０の外観は、ケース１１１により形成される。ケース１１１の内部には、掃除機１００を構成する複数の部品が内蔵される。
【００３１】
本体１１０は、内側に吸入モータ（図示せず）を備える。前記吸入モータは、空気と塵埃を吸入できる吸引力を発生するように構成される。前記吸入モータにより発生した吸引力が延長管１４０を介して吸入ノズル１３０に伝達され、吸入ノズル１３０から空気が吸入されて延長管１４０と空気入口１１２を介して本体１１０の内側に流入する。
【００３２】
本体１１０の内側には、１次サイクロン部１２１及び２次サイクロン部１２２が備えられてもよい。１次サイクロン部１２１及び２次サイクロン部１２２は、それぞれ空気の流れに旋回流を形成するように構成される。空気と塵埃の重量の違いにより空気と塵埃の遠心力の差が発生し、その遠心力の差を利用して空気から塵埃を分離する。
【００３３】
１次サイクロン部１２１は、本体１１０の外観を形成するケース１１１とケース１１１の内側に装着されるフィルタ組立体１６０とにより形成される。２次サイクロン部１２２は、フィルタ組立体１６０の内側に配置される。２次サイクロン部１２２は、サイクロンの集合により形成される。１次サイクロン部１２１では、相対的に大きい塵埃が分離され、２次サイクロン部１２２では、相対的に小さい塵埃が分離される。
【００３４】
本体１１０には、ダストボックス１５０が備えられる。ダストボックス１５０は、その内部の集塵量を外部から確認できるように、透明な材質からなるようにしてもよい。ダストボックス１５０は、１次サイクロン部１２１及び２次サイクロン部１２２により空気から分離された塵埃を集塵するように構成される。ダストボックス１５０は、２つの領域からなるようにしてもよい。
【００３５】
第１集塵部１５１は、１次サイクロン部１２１により空気から分離された塵埃を集塵するように構成される。第２集塵部１５２は、２次サイクロン部１２２により空気から分離された塵埃を集塵するように構成される。第２集塵部１５２は、第１集塵部１５１の内側に配置され、第１集塵部１５１は、第２集塵部１５２を囲む環状に形成されてもよい。
【００３６】
塵埃が分離された空気は、フィルタ機構１８０に形成される空気出口１１３から本体１１０の外部に排出される。
【００３７】
ダストボックス１５０の底面にはカバー１５３が形成される。カバー１５３は、第１集塵部１５１及び第２集塵部１５２の底面を形成する。カバー１５３は、ダストボックス１５０を開閉するように本体１１０に回転可能に結合される。カバー１５３を拘束しているボタン１５４が押圧されると、カバー１５３がヒンジを回転軸として回転してダストボックス１５０を開放する。ダストボックス１５０が開放されると、第１集塵部１５１及び第２集塵部１５２に集塵された塵埃が一度に排出される。
【００３８】
カバー１５３が回転してダストボックス１５０を開放すると、フィルタ組立体１６０が露出する。フィルタ組立体１６０は、カバー１５３の開放により露出するようにダストボックス１５０の内部に装着される。フィルタ組立体１６０は、本体１１０の内部流路を流動する空気から塵埃を濾過するように構成される。ここで、本体１１０の内部流路とは、１次サイクロン部１２１と２次サイクロン部１２２とを連結する流路をいう。フィルタ組立体１６０は、メッシュフィルタ１６１、スカート１６２及び集塵部バウンダリ１６３を含む。
【００３９】
メッシュフィルタ１６１は、２次サイクロン部１２２を囲むように円筒状に形成されてもよい。メッシュフィルタ１６１は、複数の孔を有し、前記孔より大きい塵埃や異物を濾過する。メッシュフィルタ１６１は、１次サイクロン部１２１と２次サイクロン部１２２の境界に設けられ、１次サイクロン部１２１から２次サイクロン部１２２へと本体１１０の内部流路を流動する空気から塵埃や異物を濾過する。
【００４０】
スカート１６２は、メッシュフィルタ１６１の下方に配置されてもよい。メッシュフィルタ１６１は、１次サイクロン部１２１により分離されて第１集塵部１５１に集塵された塵埃が飛散することを防止するように構成される。スカート１６２は、円周に沿って下方に延び、垂直方向又は傾斜して拡張される方向に延びるようにしてもよい。
【００４１】
集塵部バウンダリ１６３は、第１集塵部１５１と第２集塵部１５２の境界を形成する。集塵部バウンダリ１６３は、円筒状に形成されてもよく、また、下部から上部に行くにつれて次第に円周が大きくなるように形成されてもよい。円周が大きくなる領域に曲面又は傾斜面が形成され、２次サイクロン部１２２から落下する塵埃の円滑な集塵を誘導するようにしてもよい。
【００４２】
本体１１０の内部には、バッテリ１７０が備えられてもよい。バッテリ１７０は、本体１１０に着脱可能に装着されてもよい。バッテリ１７０は、前記吸入モータなどに電力を供給するように構成される。吸入ノズル１３０には回転掃除部材が備えられ、バッテリ１７０は、前記回転掃除部材に電力を供給するようにしてもよい。
【００４３】
本体１１０の外側には、手で把持できる取っ手１１４が備えられてもよい。ユーザは取っ手１１４を把持した状態で掃除を行うことができる。
【００４４】
図１に示すように、吸入ノズル１３０は、前記吸入モータからの吸引力を利用して掃除対象領域の空気と塵埃を吸入するように構成される。吸入ノズル１３０には回転掃除部材が装着されてもよい。前記回転掃除部材は、吸入ノズル１３０の内側で回転することにより、前記掃除対象領域の塵埃を掃いて吸入ノズル１３０に吸入させる。
【００４５】
フィルタ機構１８０は、本体１１０の上部に配置される。フィルタ機構１８０は、ケース１１１の上端に結合され、２次サイクロン部１２２で濾過された空気から微細塵埃や超微細塵埃を最終的に濾過するように構成される。フィルタ機構１８０には空気出口１１３が形成される。
【００４６】
延長管１４０は、本体１１０と吸入ノズル１３０とを連結するように形成される。延長管１４０は、長手方向に伸張又は収縮するようにしてもよい。吸入ノズル１３０は、延長管１４０に着脱可能に構成される。吸入ノズル１３０は、延長管１４０を介在することなく、本体１１０の空気入口１１２に直接連結されるようにしてもよい。
【００４７】
掃除機１００は、吸入ノズル１３０と交換できる様々な掃除具を含んでもよい。例えば、ブラシ掃除具、モップ掃除具、寝具掃除具及び隙間掃除具１９０のいずれかを吸入ノズル１３０と交換することができる。これらの掃除具は、本体１１０の空気入口１１２又は延長管１４０に結合できるように構成される。
【００４８】
前記ブラシ掃除具は、床面に当たる部分にブラシが装着されていて多量の塵埃を掃いて掃除を行うことができる。前記モップ掃除具は、モップを備え、前記モップの回転により床面を拭くことができる。前記寝具掃除具は、寝具を打撃する打撃部材を備え、空気の吸入過程で前記打撃部材が寝具を打撃して前記寝具の塵埃を払うことができる。隙間掃除具１９０（図４ａ参照）は、相対的に狭い吸入口を備え、狭い空間に存在する塵埃を掃除することができる。
【００４９】
掃除機１００の作動時間が累積されるにつれて、ダストボックス１５０だけでなく、フィルタ組立体１６０にも塵埃が溜まることになる。とりわけ、１次サイクロン部１２１と２次サイクロン部１２２との間で塵埃を濾過するメッシュフィルタ１６１に塵埃が溜まる。よって、カバー１５３を開放した状態で手を入れて塵埃を除去する場合、塵埃が手につき、塵埃を十分に除去することもできない。
【００５０】
つまり、フィルタ組立体１６０に溜まった塵埃を確実に除去するためには、フィルタ組立体１６０を本体１１０から分離して洗浄することが好ましい。しかし、フィルタ組立体１６０を本体１１０から分離する過程で手を用いると、フィルタ組立体１６０に溜まった塵埃が手についたり飛散したりする。
【００５１】
そこで、本発明においては、フィルタ組立体１６０を手にすることなく、フィルタ組立体１６０を本体１１０から分離できるようにする、集塵部バウンダリ１６３及び隙間掃除具１９０の構造を提案する。当該構造については図３ａ以降の図面を参照して説明する。
【００５２】
図３ａはフィルタ組立体１６０の集塵部バウンダリ１６３を示す断面図である。図３ｂはフィルタ組立体１６０の集塵部バウンダリ１６３を示す平面図である。
【００５３】
前述したように、集塵部バウンダリ１６３は、第１集塵部１５１と第２集塵部１５２の境界を形成する。集塵部バウンダリ１６３は、円筒状に形成され、下端から上端へ行くにつれて次第に円筒の内径が大きくなる。内径が大きくなる領域には、図３ａに示すように曲面１６３ｃが形成されてもよく、傾斜面が形成されてもよい。
【００５４】
集塵部バウンダリ１６３の外側は第１集塵部１５１である。第１集塵部１５１には、１次サイクロン部１２１により空気から分離された塵埃が集塵される。集塵部バウンダリ１６３の上端とケース１１１間に形成される環状の空間は相対的に狭く、集塵部バウンダリ１６３の下端とケース１１１間に形成される環状の空間は相対的に広い。よって、集塵部バウンダリ１６３の下端とケース１１１間に第１集塵部１５１の空間が確保される。
【００５５】
集塵部バウンダリ１６３の内側は第２集塵部１５２である。第２集塵部１５２には、２次サイクロン部１２２により空気から分離された塵埃が集塵される。集塵部バウンダリ１６３の上端と下端間に曲面１６３ｃ又は傾斜面が形成されるので、２次サイクロン部１２２から落下する塵埃は曲面１６３ｃ又は傾斜面に沿って第２集塵部１５２に集まることになる。
【００５６】
集塵部バウンダリ１６３の上端には、スカート１６２を結合するための溝１６３ｄが形成される。スカート１６２の少なくとも一部が突設されて溝１６３ｄに挿入されることにより、集塵部バウンダリ１６３とスカート１６２との結合が行われる。スカート１６２は、集塵部バウンダリ１６３に固定されてもよく、集塵部バウンダリ１６３に相対回転可能に結合されてもよい。
【００５７】
集塵部バウンダリ１６３は、フィルタ組立体１６０を構成する構成要素のうち最も下方に配置される。よって、カバー１５３を開放すると集塵部バウンダリ１６３の一端（下端）が露出する。カバー１５３を開放した状態で集塵部バウンダリ１６３を見ると、カバー１５３に向けて開放された開口部１６３ａが見える。開口部１６３ａの内周面には突起部１６３ｂが形成される。
【００５８】
図３ａに示すように、突起部１６３ｂは、複数備えられ、各突起部１６３ｂは、フィルタ組立体１６０の上端から下端に向かう方向に延びる。図３ｂに示すように、複数の突起部１６３ｂは、開口部１６３ａの内周面から突設される。複数の突起部１６３ｂは、開口部１６３ａの内周面（内側円周）に沿って互いに離隔して配置され、２つの突起部１６３ｂ同士が対向して配置される。
【００５９】
以下、開口部１６３ａに挿入されてフィルタ組立体１６０を取り出すことができるように構成される隙間掃除具１９０について説明する。
【００６０】
図４ａは隙間掃除具１９０の斜視図である。図４ｂは図４ａに示す隙間掃除具１９０の一側を拡大して示す概念図である。図４ｃは図４ａに示す隙間掃除具１９０の他側を拡大して示す概念図である。
【００６１】
隙間掃除具１９０は、延長管１４０との連結のための連結部１９１を含む。例えば、連結部１９１は、円筒状に形成され、円筒状の連結部１９１に延長管１４０を挿入できるようにしてもよい。それとは異なり、隙間掃除具１９０は、本体１１０の空気入口１１２に直接連結することもできる。
【００６２】
連結部１９１には、延長管１４０又は空気入口１１２との結合を解除するためのボタン１９２が備えられ、ボタン１９２を押圧した状態で隙間掃除具１９０を引っ張ると、隙間掃除具１９０が延長管１４０又は空気入口１１２から分離される。
【００６３】
隙間掃除具１９０は、掃除機１００の他の付属品とは異なり、狭い吸入口１９３を含む。隙間掃除具１９０の吸入口１９３が相対的に狭いのは、他の掃除具とは異なり、隙間掃除具１９０が狭い隙間を掃除するためのものであるからである。
【００６４】
隙間掃除具１９０の狭い吸入口１９３を形成するために、連結部１９１から吸入口１９３に近づくにつれて隙間掃除具１９０の両側が部分的に狭くなるようにしてもよい。吸入口１９３の周面は傾斜して形成されてもよく、吸入口１９３の傾斜した周面により狭い隙間でも容易に掃除することができる。
【００６５】
隙間掃除具１９０は、係止リブ１９４ａ、１９４ｂを含む。隙間掃除具１９０は、集塵部バウンダリ１６３の開口部１６３ａに挿入することができ、係止リブ１９４ａ、１９４ｂは、隙間掃除具１９０が開口部１６３ａに挿入されて回転することにより突起部１６３ｂに係止されるように、隙間掃除具１９０の外側から突設される。
【００６６】
係止リブ１９４ａ、１９４ｂは、隙間掃除具１９０の両側から突設される。第１係止リブ１９４ａは、隙間掃除具１９０の一側から突設される。第２係止リブ１９４ｂは、第１係止リブ１９４ａとは逆方向を向くように、隙間掃除具１９０の他側から突設される。
【００６７】
第１係止リブ１９４ａ及び第２係止リブ１９４ｂは、いずれか一方が他方より長く形成されてもよい。これは、吸入口１９３の周面が傾斜して形成されるからである。同図においては、図４ａに示す第１係止リブ１９４ａの方が図４ｂに示す第２係止リブ１９４ｂより長い場合を示す。しかし、第１係止リブ１９４ａ及び第２係止リブ１９４ｂが必ずしも異なる長さを有するようにする必要はない。
【００６８】
第１係止リブ１９４ａは、位置設定部１９４ａ１及び係止部１９４ａ２を含み、同様に、第２係止リブ１９４ｂは、位置設定部１９４ｂ１及び係止部１９４ｂ２を含む。位置設定部１９４ａ１、１９４ｂ１を第１部分といい、係止部１９４ａ２、１９４ｂ２を第２部分といってもよい。
【００６９】
位置設定部１９４ａ１、１９４ｂ１は、隙間掃除具１９０の長手方向に延びる。隙間掃除具１９０が長手方向に挿入及び取出されるので、位置設定部１９４ａ１、１９４ｂ１が隙間掃除具１９０の挿入及び取出方向に延びるのである。集塵部バウンダリ１６３の開口部１６３ａに形成される突起部１６３ｂの延長方向と位置設定部１９４ａ１、１９４ｂ１の延長方向とは実質的に平行である。
【００７０】
第１係止リブ１９４ａの位置設定部１９４ａ１と第２係止リブ１９４ｂの位置設定部１９４ｂ１とは実質的に同じ長さを有することが好ましい。こうすることにより、第１係止リブ１９４ａ及び第２係止リブ１９４ｂは、集塵部バウンダリ１６３のどの突起部１６３ｂにも係止できるようになる。
【００７１】
係止部１９４ａ２、１９４ｂ２は、位置設定部１９４ａ１、１９４ｂ１と交差する方向に延びる。位置設定部１９４ａ１、１９４ｂ１と係止部１９４ａ２、１９４ｂ２とは、直角に交差するようにしてもよい。よって、隙間掃除具１９０を集塵部バウンダリ１６３の開口部１６３ａに挿入して回転させると、係止部１９４ａ２、１９４ｂ２が突起部１６３ｂに係止される。この状態では、隙間掃除具１９０を逆方向に回転させない限り、隙間掃除具１９０が不意に離脱しない。
【００７２】
隙間掃除具１９０は、係止リブ１９４ａ、１９４ｂの一端に形成されるストッパ１９５ａ、１９５ｂを含む。ストッパ１９５ａ、１９５ｂは、位置設定部１９４ａ１、１９４ｂ１の一端（図４ａ及び図４ｂにおける下端）に形成される。つまり、係止部１９４ａ２、１９４ｂ２は、位置設定部１９４ａ１、１９４ｂ１の他端に形成される。
【００７３】
ストッパ１９５ａ、１９５ｂは、隙間掃除具１９０の挿入長さを設定するためのものである。係止リブ１９４ａ、１９４ｂが突起部１６３ｂに係止されるようにするためには、係止リブ１９４ａ、１９４ｂを２つの突起部１６３ｂ間に挿入しなければならない。よって、ストッパ１９５ａ、１９５ｂが形成されていない場合、隙間掃除具１９０の挿入長さを正確に決定しにくく、隙間掃除具１９０が２次サイクロン部１２２に当たるまで挿入される恐れがある。
【００７４】
ストッパ１９５ａ、１９５ｂは、隙間掃除具１９０の外側から突出する。ストッパ１９５ａ、１９５ｂは、隙間掃除具１９０の挿入長さを設定するように、係止リブ１９４ａ、１９４ｂより大きく突出する。第１ストッパ１９５ａは、隙間掃除具１９０の一側から突出し、第１係止リブ１９４ａの一端（図４ａ及び図４ｂにおける下端）に形成される。第２ストッパ１９５ｂは、隙間掃除具１９０の他側から突出し、第２係止リブ１９４ｂの一端（図４ａ及び図４ｂにおける下端）に形成される。
【００７５】
第１ストッパ１９５ａの最外縁部Ａと第２ストッパ１９５ｂの最外縁部Ｂ間の直線距離は、互いに対向する２つの突起部１６３ｂ間の直線距離ｄ１（図３ｂ参照）より長い。よって、ストッパ１９５ａ、１９５ｂにより隙間掃除具１９０の挿入長さが設定され、隙間掃除具１９０が所定の長さ以上挿入されることが制限される。
【００７６】
以下、隙間掃除具１９０をフィルタ組立体１６０に結合してフィルタ組立体１６０を本体１１０から分離する過程について説明する。
【００７７】
図５ａは隙間掃除具１９０をフィルタ組立体１６０に結合する過程を示す概念図である。図５ｂは隙間掃除具１９０を用いてフィルタ組立体１６０を本体１１０から分離する過程を示す概念図である。
【００７８】
ダストボックス１５０の開閉のためのカバー１５３を開放した状態で、隙間掃除具１９０の吸入口１９３が本体１１０の内側を向くように押し込むと、隙間掃除具１９０は集塵部バウンダリ１６３の開口部１６３ａに挿入される。ストッパ１９５ａ、１９５ｂは隙間掃除具１９０の挿入長さを設定するものであるので、ストッパ１９５ａ、１９５ｂが突起部１６３ｂに突き当たるまで隙間掃除具１９０を挿入することができる。
【００７９】
隙間掃除具１９０が完全に挿入された状態で隙間掃除具１９０を回転させると、隙間掃除具１９０の係止リブ１９４ａ、１９４ｂが集塵部バウンダリ１６３の突起部１６３ｂに係止される。係止リブ１９４ａ、１９４ｂが突起部１６３ｂに係止された状態で隙間掃除具１９０をさらに回転させると、ダストボックス１５０の内側に対するフィルタ組立体１６０の係止が解除される。
【００８０】
メッシュフィルタ１６１の外側には突起部１６１ａが備えられ、本体１１０の内側には係止リブ１５５が形成される。メッシュフィルタ１６１の突起部１６１ａが本体１１０の係止リブ１５５に係止されると、フィルタ組立体１６０が不意に分離されなくなり、逆に、本体１１０の係止リブ１５５に対するメッシュフィルタ１６１の突起部１６１ａの係止が解除されると、フィルタ組立体１６０が本体１１０から分離される。メッシュフィルタ１６１の突起部１６１ａ及び本体１１０の係止リブ１５５については図６ａ及び図６ｂを参照して説明する。
【００８１】
係止リブ１９４ａ、１９４ｂが突起部１６３ｂに係止された状態、及び本体１１０の内側に対するフィルタ組立体１６０の係止が解除された状態で、隙間掃除具１９０をダストボックス１５０の外側に引っ張ると、隙間掃除具１９０を開口部１６３ａから取り出す力により、フィルタ組立体１６０も隙間掃除具１９０と共にダストボックス１５０から取り出される。当該過程により、フィルタ組立体１６０を手で触ることなく本体１１０から分離することができる。
【００８２】
ダストボックス１５０が本体１１０の一部を構成するので、フィルタ組立体１６０が本体１１０の内側から分離されることと、フィルタ組立体１６０がダストボックス１５０の内側から分離されることは実質的に同じ意味を有する。
【００８３】
以下、隙間掃除具１９０を用いたフィルタ組立体１６０の分離又は結合過程における係止リブ１９４ａ、１９４ｂや突起部１６３ｂなどの相対位置の変化について説明する。
【００８４】
図６ａ〜図６ｅは隙間掃除具１９０をフィルタ組立体１６０に結合する過程における係止リブ１９４ｂや突起部１６３ｂ１、１６３ｂ２などの相対位置を説明するための概念図である。ここでは第２係止リブ１９４ｂを例に挙げて説明するが、以下の説明は第１係止リブ１９４ａにも適用される。
【００８５】
まず、図６ａに示すように、隙間掃除具１９０の挿入により、第２係止リブ１９４ｂが２つの突起部１６３ｂ１、１６３ｂ２間に挿入される。
【００８６】
次に、図６ｂに示すように、隙間掃除具１９０の第１方向（図６ａにおける左方向）の回転により、第２係止リブ１９４ｂが２つの突起部１６３ｂ１、１６３ｂ２のうち左側の突起部１６３ｂ１に係止される。ここで、第１方向とは、第２係止リブ１９４ｂの係止部１９４ｂ２が左側の突起部１６３ｂ１に係止される方向をいう。位置設定部１９４ｂ１は、隙間掃除具１９０の第１方向の回転により、第２係止リブ１９４ｂの係止位置を設定するように左側の突起部１６３ｂ１に密着する。
【００８７】
次に、図６ｃに示すように、位置設定部１９４ｂ１が左側の突起部１６３ｂ１に密着した後に第１方向にさらに加わる力により、フィルタ組立体１６０が隙間掃除具１９０と共に第１方向に回転する。フィルタ組立体１６０が第１方向に回転すると、本体１１０の係止リブ１５５に対するメッシュフィルタ１６１の突起部１６１ａの係止が解除される。なお、フィルタ組立体１６０は、本体１１０の内部から分離可能な状態となる。
【００８８】
次に、図６ｄに示すように、隙間掃除具１９０をダストボックス１５０の外側に取り出す力により、フィルタ組立体１６０も隙間掃除具１９０と共にダストボックス１５０から取り出される。第２係止リブ１９４ｂの係止部１９４ｂ２が左側の突起部１６３ｂ１に係止されているので、集塵部バウンダリ１６３も隙間掃除具１９０と共に取り出される。また、メッシュフィルタ１６１及びスカート１６２が集塵部バウンダリ１６３と結合されているので、メッシュフィルタ１６１及びスカート１６２も集塵部バウンダリ１６３と共にダストボックス１５０の外側に取り出される。
【００８９】
最後に、図６ｅに示すように、本体１１０の係止リブ１５５に対する係止が解除されたメッシュフィルタ１６１の突起部１６１ａがダストボックス１５０の外側に移動する。よって、フィルタ組立体１６０がダストボックス１５０から取り出される。
【００９０】
図７ａ〜図７ｅは隙間掃除具１９０をフィルタ組立体１６０から分離する過程における係止リブや突起部１６３ｂ１、１６３ｂ２などの相対位置を説明するための概念図である。
【００９１】
まず、図７ａに示すように、集塵部バウンダリ１６３の突起部１６３ｂ１、１６３ｂ２、隙間掃除具１９０の第２係止リブ１９４ｂ、及びメッシュフィルタ１６１の突起部１６１ａが共にダストボックス１５０の内側に挿入される。隙間掃除具１９０をダストボックス１５０の内側に挿入する力はストッパ１９５ａ、１９５ｂを介して突起部１６３ｂ１、１６３ｂ２にも伝達される。よって、隙間掃除具１９０をダストボックス１５０の内側に挿入する力により、フィルタ組立体１６０も隙間掃除具１９０と共にダストボックス１５０の内側に挿入される。
【００９２】
次に、図７ｂに示すように、隙間掃除具１９０の第２係止リブ１９４ｂ及びメッシュフィルタ１６１の突起部１６１ａが第２方向（図７ａにおける右方向）に回転する。ここで、第２方向とは、左側の突起部１６３ｂ１に対する係止部１９４ｂ２の係止が解除される方向をいう。位置設定部１９４ｂ１は、隙間掃除具１９０の第２方向の回転により、第２係止リブ１９４ｂの係止解除位置を設定するように右側の突起部１６３ｂ２に密着する。
【００９３】
次に、図７ｃに示すように、位置設定部１９４ｂ１が右側の突起部１６３ｂ２に密着した後に第２方向にさらに加わる力により、集塵部バウンダリ１６３の突起部１６３ｂ１、１６３ｂ２及びメッシュフィルタ１６１の突起部１６１ａが第２方向に回転する。
【００９４】
次に、図７ｄに示すように、メッシュフィルタ１６１の突起部１６１ａが本体１１０の係止リブ１５５に係止される。つまり、フィルタ組立体１６０は、第２方向の回転によりダストボックス１５０の内側に結合される。
【００９５】
最後に、図７ｅに示すように、フィルタ組立体１６０の突起部１６１ａに対する隙間掃除具１９０の第２係止リブ１９４ｂの係止が解除される。よって、隙間掃除具１９０のみ取り出される。
【００９６】
前述した掃除機は、前述した実施形態の構成と方法に限定されるものではなく、様々な変形が行われるように、各実施形態の全部又は一部を選択的に組み合わせたものであってもよい。
【産業上の利用可能性】
【００９７】
本発明は、掃除機の産業分野において用いることができる。
【図１】
0006854933.tif 000002
【図２】
0006854933.tif 000003
【図３ａ】
0006854933.tif 000004
【図３ｂ】
0006854933.tif 000005
【図４ａ】
0006854933.tif 000006
【図４ｂ】
0006854933.tif 000007
【図４ｃ】
0006854933.tif 000008
【図５ａ】
0006854933.tif 000009
【図５ｂ】
0006854933.tif 000010
【図６ａ】
0006854933.tif 000011
【図６ｂ】
0006854933.tif 000012
【図６ｃ】
0006854933.tif 000013
【図６ｄ】
0006854933.tif 000014
【図６ｅ】
0006854933.tif 000015
【図７ａ】
0006854933.tif 000016
【図７ｂ】
0006854933.tif 000017
【図７ｃ】
0006854933.tif 000018
【図７ｄ】
0006854933.tif 000019
【図７ｅ】
0006854933.tif 000020